【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
複数のリールと、
役決定結果を選出する役決定手段と、
前記複数のリールの駆動を制御するリール制御手段と、
所定の役決定結果に対応し遊技媒体の付与が規定された所定の図柄組合せの停止表示に係る所定のアシスト情報を遊技者に報知するアシスト演出の実行が許可されるアシスト遊技状態と許可されない非アシスト遊技状態との設定を制御するアシスト遊技状態設定制御手段と、
前記アシスト遊技状態中における所定条件の充足を契機として特典の付与を決定可能とする特典付与手段と、
所定の特典報知演出を実行する演出実行制御手段と、を備えたスロットマシンであって、
特定の役決定結果が選出されたときは、各リールを停止させるための停止操作態様に応じて、再遊技の付与が規定された第１の図柄組合せが停止表示される場合と再遊技の付与が規定された第２の図柄組合せが停止表示される場合を有し、
前記所定条件が充足される場合として、前記特定の役決定結果が選出される場合を有し、
前記アシスト遊技状態中においては、複数の遊技に亘り前記所定の特典報知演出の実行が規制される演出実行規制期間と、前記所定の特典報知演出の実行が規制されない演出実行可能期間とを有するように構成され、
前記演出実行制御手段は、
前記演出実行可能期間中に前記特定の役決定結果が選出されて前記所定条件が充足され、特典の付与が決定された遊技では、前記第１の図柄組合せを停止表示可能とする停止操作態様を報知し、前記所定の特典報知演出を実行可能とし、
前記演出実行規制期間中に前記特定の役決定結果が選出されて前記所定条件が充足され、特典の付与が決定された遊技では、前記第２の図柄組合せを停止表示可能とする停止操作態様を報知し、前記所定の特典報知演出を前記演出実行規制期間中は実行しないように構成されている、ことを特徴とするスロットマシン。
【請求項２】
複数のリールと、
役決定結果を選出する役決定手段と、
前記複数のリールの駆動を制御するリール制御手段と、
所定の役決定結果に対応し遊技媒体の付与が規定された所定の図柄組合せの停止表示に係る所定のアシスト情報を遊技者に報知するアシスト演出の実行が許可されるアシスト遊技状態と許可されない非アシスト遊技状態との設定を制御するアシスト遊技状態設定制御手段と、
前記アシスト遊技状態中における所定条件の充足を契機として特典の付与を決定可能とする特典付与手段と、
所定の特典付与演出を実行する演出実行制御手段と、を備えたスロットマシンであって、
特定の役決定結果が選出されたときは、各リールを停止させるための停止操作態様に応じて、再遊技の付与が規定された第１の図柄組合せが停止表示される場合と再遊技の付与が規定された第２の図柄組合せが停止表示される場合を有し、
前記所定条件が充足される場合として、前記特定の役決定結果が選出される場合を有し、
前記アシスト遊技状態中においては、複数の遊技に亘り前記所定の特典報知演出の実行が規制される演出実行規制期間と、前記所定の特典報知演出の実行が規制されない演出実行可能期間とを有するように構成され、
前記演出実行制御手段は、
前記演出実行可能期間中に前記特定の役決定結果が選出されて前記所定条件が充足され、特典の付与が決定された遊技では、前記第１の図柄組合せを停止表示可能とする停止操作態様を報知し、前記特典の付与が決定された遊技以降の所定のタイミングで前記所定の特典報知演出を実行可能とし、
前記演出実行規制期間中に前記特定の役決定結果が選出されて前記所定条件が充足され、特典の付与が決定された遊技では、前記第２の図柄組合せを停止表示可能とする停止操作態様を報知し、前記所定の特典報知演出を前記演出実行規制期間中は実行しないように構成されている、ことを特徴とするスロットマシン。
【手続補正２】
【補正対象書類名】明細書
【補正対象項目名】００１６
【補正方法】変更
【補正の内容】
【００１６】
本発明は、所定の特典報知演出の実行が規制される演出実行規制期間中に特典の付与が決定されたのか否かに応じて、所定の特典報知演出の実行時期を制御することが可能なスロットマシンを提供することを目的とする。
【手続補正３】
【補正対象書類名】明細書
【補正対象項目名】００１７
【補正方法】変更
【補正の内容】
【００１７】
上記目的を達成するため下記のスロットマシンは、以下の特徴を備えている。なお、以下の特徴構成の説明では、後述する実施形態において対応する構成の一例を括弧書きで示している。
本発明に係るスロットマシンは、複数のリールと、役決定結果を選出する役決定手段と、前記複数のリールの駆動を制御するリール制御手段と、所定の役決定結果に対応し遊技媒体の付与が規定された所定の図柄組合せの停止表示に係る所定のアシスト情報を遊技者に報知するアシスト演出（例えば、押し順ナビ演出）の実行が許可されるアシスト遊技状態（例えば、ＡＴ）と許可されない非アシスト遊技状態（例えば、非ＡＴ）との設定を制御するアシスト遊技状態設定制御手段（例えば、ＡＴ設定手段２０１）と、前記アシスト遊技状態中における所定条件の充足（例えば、役決定結果Ｂ６〜Ｂ８、Ｄ１〜Ｄ４の選出）を契機として特典の付与を決定可能とする特典付与手段（例えば、特典付与選択手段２０３）と、所定の特典付与演出を実行する演出実行制御手段と、を備えたスロットマシンであって、特定の役決定結果（例えば、役決定結果Ｂ７，Ｂ８）が選出されたときは、各リールを停止させるための停止操作態様に応じて、再遊技の付与が規定された第１の図柄組合せ（例えば、チャンスＲＰの図柄組合せ）が停止表示される場合と再遊技の付与が規定された第２の図柄組合せ（例えば、通常ＲＰの図柄組合せ）が停止表示される場合を有し、前記所定条件が充足される場合として、前記特定の役決定結果が選出される場合を有し、前記アシスト遊技状態中においては、複数の遊技に亘り前記所定の特典報知演出の実行が規制される演出実行規制期間（例えば、エピソード演出が実行されている期間）と、前記所定の特典報知演出の実行が規制されない演出実行可能期間（例えば、エピソード演出が実行されていない期間）とを有するように構成され、前記演出実行制御手段は、前記演出実行可能期間中に前記特定の役決定結果が選出されて前記所定条件が充足され、特典の付与が決定された遊技では、前記第１の図柄組合せを停止表示可能とする停止操作態様を報知し、前記所定の特典報知演出を実行可能とし、前記演出実行規制期間中に前記特定の役決定結果が選出されて前記所定条件が充足され、特典の付与が決定された遊技では、前記第２の図柄組合せを停止表示可能とする停止操作態様を報知し、前記所定の特典報知演出を前記演出実行規制期間中は実行しないように構成されている、ことを特徴とする。
本発明に係る他のスロットマシンは、複数のリールと、役決定結果を選出する役決定手段と、前記複数のリールの駆動を制御するリール制御手段と、所定の役決定結果に対応し遊技媒体の付与が規定された所定の図柄組合せの停止表示に係る所定のアシスト情報を遊技者に報知するアシスト演出の実行が許可されるアシスト遊技状態と許可されない非アシスト遊技状態との設定を制御するアシスト遊技状態設定制御手段と、前記アシスト遊技状態中における所定条件の充足を契機として特典の付与を決定可能とする特典付与手段と、所定の特典付与演出を実行する演出実行制御手段と、を備えたスロットマシンであって、特定の役決定結果が選出されたときは、各リールを停止させるための停止操作態様に応じて、再遊技の付与が規定された第１の図柄組合せが停止表示される場合と再遊技の付与が規定された第２の図柄組合せが停止表示される場合を有し、前記所定条件が充足される場合として、前記特定の役決定結果が選出される場合を有し、前記アシスト遊技状態中においては、複数の遊技に亘り前記所定の特典報知演出の実行が規制される演出実行規制期間と、前記所定の特典報知演出の実行が規制されない演出実行可能期間とを有するように構成され、前記演出実行制御手段は、前記演出実行可能期間中に前記特定の役決定結果が選出されて前記所定条件が充足され、特典の付与が決定された遊技では、前記第１の図柄組合せを停止表示可能とする停止操作態様を報知し、前記特典の付与が決定された遊技以降の所定のタイミングで前記所定の特典報知演出を実行可能とし、前記演出実行規制期間中に前記特定の役決定結果が選出されて前記所定条件が充足され、特典の付与が決定された遊技では、前記第２の図柄組合せを停止表示可能とする停止操作態様を報知し、前記所定の特典報知演出を前記演出実行規制期間中は実行しないように構成されている、ことを特徴とする。
参考とする別のスロットマシンは、複数種類の図柄を可変表示する複数のリールと、リールを用いた遊技に必要な規定数の遊技媒体をベットするためのベット操作を含む所定の遊技操作を受け付ける遊技操作受付手段（例えば、遊技操作処理時機導出手段１０６）と、複数のリールにおいて停止表示される図柄組合せの態様により規定される複数の遊技役（例えば、ＭＢ役，小役１〜１９，再遊技役１〜２１）の中から、成立することが許容される遊技役を選出するための役決定処理を行う役決定手段と、複数のリールの駆動を制御するリール制御手段と、所定の遊技役の成立に係る所定のアシスト情報を遊技者に報知するアシスト演出（例えば、押し順ナビ演出）の実行が許可されるアシスト遊技状態（例えば、ＡＴ）と許可されない非アシスト遊技状態（例えば、非ＡＴ）との設定を制御するとともに、アシスト遊技状態中における所定条件の充足（例えば、役決定結果Ｂ６〜Ｂ８、Ｄ１〜Ｄ４の選出）を契機としてアシスト遊技状態の設定期間の延長に係る所定の上乗せ数（例えば、アシスト可能回数の上乗せ回数）を抽選可能とするアシスト遊技状態設定制御手段（例えば、ＡＴ設定手段２０１）と、アシスト遊技状態設定制御手段により決定された上乗せ数の報知に係る上乗せ報知演出を実行する演出実行制御手段と、を備えたスロットマシンであって、役決定処理において、特定の遊技役が選出される場合を有し、前記特定の遊技役が選出されたときは、リールを停止させるための停止操作の順序に応じて、第１の図柄組合せまたは第２の図柄組合せが停止表示可能に制御され、前記所定条件が充足される場合として、前記特定の遊技役が選出される場合を有し、アシスト遊技状態中においては、上乗せ報知演出の実行が規制される演出実行規制期間（例えば、エピソード演出が実行されている期間）と規制されない演出実行可能期間（例えば、エピソード演出が実行されていない期間）とが設定可能に構成され、演出実行制御手段は、演出実行可能期間中に前記特定の遊技役が選出されることで前記所定条件が充足し、上乗せ数が決定された遊技では、前記第１の図柄組合せを停止表示可能とする停止操作態様を報知するとともに、上乗せ報知演出を実行し、演出実行規制期間中に前記特定の遊技役が選出されることで前記所定条件が充足し、上乗せ数が決定された遊技では、前記第１の図柄組合せを停止表示可能とする停止操作態様を報知せず、上乗せ報知演出を演出実行規制期間中は実行しないように構成されている、ことを特徴とする。
参考の第１のスロットマシンは、複数種類の図柄を可変表示する複数のリールと、リールを用いた遊技に必要な規定数の遊技媒体をベットするためのベット操作を含む所定の遊技操作を受け付ける遊技操作受付手段（例えば、遊技操作処理時機導出手段１０６）と、複数のリールにおいて停止表示される図柄組合せの態様により規定される複数の遊技役の中から、成立することが許容される遊技役を選出するための役決定処理を行う役決定手段と、複数のリールの駆動を制御するリール制御手段と、所定の設定変更指令操作に基づき役決定確率の設定変更を行う設定変更手段と、第１の遊技状態（例えば、非ＲＴ遊技状態）、役決定処理により特別な遊技役（例えば、ＭＢ役）が選出されかつ未成立であるという第１の設定条件が充足されている場合に設定され、特別な遊技役が成立するまで特別な遊技役が選出されたという情報が保持される遊技状態である第２の遊技状態（例えば、ＲＴ１遊技状態）、および特別な遊技役が成立したことを契機として実行可能となる特別遊技が未終了であるという第２の設定条件が充足されている場合に設定される第３の遊技状態（例えば、ＲＴ２遊技状態）を含む複数の遊技状態の間で遊技状態を移行させる遊技状態制御手段（例えば、ＲＴ遊技状態設定手段１０４）と、複数の遊技状態の中の何れの遊技状態に設定されているのかを示す第１の記憶情報（例えば、ＲＴ情報）、第１の設定条件が充足されている場合にはＯＮ状態とされ未充足の場合にはＯＦＦ状態とされる第２の記憶情報（例えば、ＭＢ内部中フラグ）、および第２の設定条件が充足されている場合にはＯＮ状態とされ未充足の場合にはＯＦＦ状態とされる第３の記憶情報（例えば、ＭＢ作動中フラグ）を記憶する遊技状態情報記憶手段（例えば、メイン情報記憶手段１１８）と、情報送信手段と、演出を制御する演出制御手段（例えば、演出実行制御手段２０２）と、を備えたスロットマシンであって、第１の記憶情報は、第１の遊技状態に設定されている場合と第３の遊技状態に設定されている場合とにおいては情報Ａ（例えば、「０」）が設定され、第２の遊技状態に設定されている場合には情報Ｂ（例えば、「１」）が設定され、遊技状態情報記憶手段は、設定変更が行われた場合、第１および第２の記憶情報は設定変更前の状態を保持し第３の記憶情報は設定変更前の状態によらずＯＦＦ状態とするように構成され、遊技状態制御手段は、設定変更が行われた場合、設定変更後に遊技状態情報記憶手段が記憶している第１乃至第３の記憶情報に基づき設定変更後の遊技状態を設定するように構成され、情報送信手段は、設定変更が行われた場合、設定変更後に遊技状態情報記憶手段が記憶している第１乃至第３の記憶情報を演出制御手段に送信するように構成される、ことを特徴とする。
【手続補正４】
【補正対象書類名】明細書
【補正対象項目名】００２１
【補正方法】変更
【補正の内容】
【００２１】
本発明に係るスロットマシンによれば、所定の特典報知演出の実行が規制される演出実行規制期間中に特典の付与が決定されたのか否かに応じて、所定の特典報知演出の実行時期を制御することが可能となる。